【手続補正書】
【提出日】平成16年12月15日(2004.12.15)
【手続補正１】
【補正対象書類名】明細書
【補正対象項目名】発明の名称
【補正方法】変更
【補正の内容】
【発明の名称】画像データ管理方法及び画像データ管理装置
【手続補正２】
【補正対象書類名】明細書
【補正対象項目名】特許請求の範囲
【補正方法】変更
【補正の内容】
【特許請求の範囲】
【請求項１】
外部機器と通信を行う通信手段を有する電子機器における画像データ管理方法であって、
入力画像データを記憶する画像データ記憶工程と、
前記入力画像データが前記通信手段を介して送信された画像データである場合に、前記入力画像データの送信元を識別する情報を前記入力画像データに関連付けて記憶する送信元情報記憶工程とを有することを特徴とする画像データ管理方法。
【請求項２】
前記送信元情報が存在する場合に、送信元情報を前記画像データに関連付けて表示する表示工程を更に有することを特徴とする請求項１に記載の画像データ管理方法。
【請求項３】
前記画像データを縮小化する画像データ縮小化工程と、
前記縮小化された縮小画像データを前記画像データに関連付けて記憶する縮小画像データ記憶工程を更に有することを特徴とする請求項１または２に記載の画像データ管理方法。
【請求項４】
前記表示工程において、前記縮小画像データを表示することを特徴とする請求項３に記載の画像データ管理方法。
【請求項５】
指定された画像データを削除する削除工程と、
前記指定された画像データの送信元情報が存在しない場合に、前記指定された画像データに対応する前記縮小画像データを削除する縮小画像データ削除工程とを更に有することを特徴とする請求項３または４に記載の画像データ管理方法。
【請求項６】
前記送信元情報に基づいて、送信元から削除された画像データを取得する画像データ回復工程を更に有することを特徴とする請求項５に記載の画像データ管理方法。
【請求項７】
外部機器と通信を行う通信手段を有する電子機器における画像データ管理方法であって、
入力画像データを記憶する画像データ記憶工程と、
前記画像データ記憶工程により記憶された画像データを前記通信手段を介して送信する場合に、前記画像データの送信先を識別する情報を前記送信する画像データに関連付けて記憶する送信先情報記憶工程とを有することを特徴とする画像データ管理方法。
【請求項８】
前記送信元情報または送信先情報が存在する場合に、送信元情報または送信先情報を前記画像データに関連付けて表示する表示工程を更に有することを特徴とする請求項７に記載の画像データ管理方法。
【請求項９】
前記画像データを縮小化する画像データ縮小化工程と、
前記縮小化された縮小画像データを前記画像データに関連付けて記憶する縮小画像データ記憶工程を更に有することを特徴とする請求項７または８に記載の画像データ管理方法。
【請求項１０】
前記表示工程において、前記縮小画像データを表示する事を特徴とする請求項９に記載の画像データ管理方法。
【請求項１１】
指定された画像データを削除する削除工程と、
前記指定された画像データの送信先情報が存在しない場合に、前記指定された画像データに対応する前記縮小画像データを削除する縮小画像データ削除工程とを更に有することを特徴とする請求項９または１０に記載の画像データ管理方法。
【請求項１２】
前記送信先情報に基づいて、送信先から削除された画像データを取得する画像データ回復工程を更に有することを特徴とする請求項１１に記載の画像データ管理方法。
【請求項１３】
外部機器と通信を行う通信手段を有する電子機器における画像データ管理方法であって、
入力画像データを記憶する画像データ記憶工程と、
前記入力画像データが前記通信手段を介して送信された画像データである場合に、前記入力画像データの送信元を識別する情報を前記入力画像データに関連付けて記憶する送信元情報記憶工程と、
前記画像データ記憶工程により記憶された画像データを前記通信手段を介して送信する場合に、前記画像データの送信先を識別する情報を前記送信する画像データに関連付けて記憶する送信先情報記憶工程とを有することを特徴とする画像データ管理方法。
【請求項１４】
外部機器と通信を行うための通信手段と、
入力画像データを記憶する画像データ記憶手段と、
前記入力画像データが前記通信手段を介して送信された画像データである場合に、前記入力画像データの送信元を識別する情報を前記入力画像データに関連付けて記憶する送信元情報記憶手段と、
前記通信手段と、前記画像データ記憶手段と、前記送信元情報記憶手段とを制御する制御手段とを有することを特徴とする画像データ管理装置。
【請求項１５】
外部機器と通信を行うための通信手段と、
入力画像データを記憶する画像データ記憶手段と、
前記画像データ記憶手段により記憶された画像データを前記通信手段を介して送信する場合に、前記画像データの送信先を識別する情報を前記送信する画像データに関連付けて記憶する送信先情報記憶手段と、
前記通信手段と、前記画像データ記憶手段と、前記送信先情報記憶手段とを制御する制御手段とを有することを特徴とする画像データ管理装置。
【請求項１６】
外部機器と通信を行うための通信手段と、
入力画像データを記憶する画像データ記憶手段と、
前記入力画像データが前記通信手段を介して送信された画像データである場合に、前記入力画像データの送信元を識別する情報を前記入力画像データに関連付けて記憶する送信元情報記憶手段と、
前記画像データ記憶手段により記憶された画像データを前記通信手段を介して送信する場合に、前記画像データの送信先を識別する情報を前記送信する画像データに関連付けて記憶する送信先情報記憶手段と、
前記通信手段と、前記画像データ記憶手段と、前記送信元情報記憶手段と、前記送信先情報記憶手段とを制御する制御手段とを有することを特徴とする画像データ管理装置。
【手続補正３】
【補正対象書類名】明細書
【補正対象項目名】０００７
【補正方法】変更
【補正の内容】
【０００７】    【課題を解決するための手段】  本発明は前記（２）の場合における問題点に鑑みてなされたものであり、外部機器と通信を行う通信手段を有する電子機器における画像データ管理方法であって、入力画像データを記憶する画像データ記憶工程と、前記入力画像データが前記通信手段を介して送信された画像データである場合に、前記入力画像データの送信元を識別する情報を前記入力画像データに関連付けて記憶する送信元情報記憶工程とを有する。
【手続補正４】
【補正対象書類名】明細書
【補正対象項目名】０００８
【補正方法】変更
【補正の内容】
【０００８】  別の構成としては、外部機器と通信を行う通信手段を有する電子機器における画像データ管理方法であって、入力画像データを記憶する画像データ記憶工程と、前記画像データ記憶工程により記憶された画像データを前記通信手段を介して送信する場合に、前記画像データの送信先を識別する情報を前記送信する画像データに関連付けて記憶する送信先情報記憶工程とを有する。
【手続補正５】
【補正対象書類名】明細書
【補正対象項目名】０００９
【補正方法】変更
【補正の内容】
【０００９】  また、外部機器と通信を行う通信手段を有する電子機器における画像データ管理方法であって、入力画像データを記憶する画像データ記憶工程と、前記入力画像データが前記通信手段を介して送信された画像データである場合に、前記入力画像データの送信元を識別する情報を前記入力画像データに関連付けて記憶する送信元情報記憶工程と、前記画像データ記憶工程により記憶された画像データを前記通信手段を介して送信する場合に、前記画像データの送信先を識別する情報を前記送信する画像データに関連付けて記憶する送信先情報記憶工程とを有する。
【手続補正６】
【補正対象書類名】明細書
【補正対象項目名】００１０
【補正方法】変更
【補正の内容】
【００１０】  または、本発明の画像データ管理装置は、外部機器と通信を行うための通信手段と、入力画像データを記憶する画像データ記憶手段と、前記入力画像データが前記通信手段を介して送信された画像データである場合に、前記入力画像データの送信元を識別する情報を前記入力画像データに関連付けて記憶する送信元情報記憶手段と、前記通信手段と、前記画像データ記憶手段と、前記送信元情報記憶手段とを制御する制御手段とを有する。
【手続補正７】
【補正対象書類名】明細書
【補正対象項目名】００１１
【補正方法】変更
【補正の内容】
【００１１】  または、本発明の画像データ管理装置は、外部機器と通信を行うための通信手段と、入力画像データを記憶する画像データ記憶手段と、前記画像データ記憶手段により記憶された画像データを前記通信手段を介して送信する場合に、前記画像データの送信先を識別する情報を前記送信する画像データに関連付けて記憶する送信先情報記憶手段と、前記通信手段と、前記画像データ記憶手段と、前記送信先情報記憶手段とを制御する制御手段とを有する。
【手続補正８】
【補正対象書類名】明細書
【補正対象項目名】００１２
【補正方法】変更
【補正の内容】
【００１２】  または、本発明の画像データ管理装置は、外部機器と通信を行うための通信手段と、入力画像データを記憶する画像データ記憶手段と、前記入力画像データが前記通信手段を介して送信された画像データである場合に、前記入力画像データの送信元を識別する情報を前記入力画像データに関連付けて記憶する送信元情報記憶手段と、前記画像データ記憶手段により記憶された画像データを前記通信手段を介して送信する場合に、前記画像データの送信先を識別する情報を前記送信する画像データに関連付けて記憶する送信先情報記憶手段と、前記通信手段と、前記画像データ記憶手段と、前記送信元情報記憶手段と、前記送信先情報記憶手段とを制御する制御手段とを有する。
【手続補正９】
【補正対象書類名】明細書
【補正対象項目名】００１３
【補正方法】削除
【補正の内容】
【手続補正１０】
【補正対象書類名】明細書
【補正対象項目名】００１４
【補正方法】削除
【補正の内容】
【手続補正１１】
【補正対象書類名】明細書
【補正対象項目名】００１５
【補正方法】削除
【補正の内容】
【手続補正１２】
【補正対象書類名】明細書
【補正対象項目名】００１６
【補正方法】削除
【補正の内容】
【手続補正１３】
【補正対象書類名】明細書
【補正対象項目名】００１７
【補正方法】削除
【補正の内容】
【手続補正１４】
【補正対象書類名】明細書
【補正対象項目名】００１８
【補正方法】削除
【補正の内容】
【手続補正１５】
【補正対象書類名】明細書
【補正対象項目名】００１９
【補正方法】削除
【補正の内容】
【手続補正１６】
【補正対象書類名】明細書
【補正対象項目名】００２０
【補正方法】削除
【補正の内容】